(57)【要約】【課題】主方向に配列した複数の少ない光源を用いて画像記録担体を照明し、良好な画像情報を得ることのできる画像情報読取装置およびその調整方法を提供する。【解決手段】レーザダイオードＬＤ１〜ＬＤｎから出力されたレーザビームＢ１〜Ｂｎをスリット板６６に形成したスリット６８（１）〜６８（ｎ）を介して光量検出センサ７０により検出し、各光量が最大となるように、レーザダイオードＬＤ１〜ＬＤｎが固定されている光源固定治具４４（１）〜４４（ｎ）を長孔４８ａ、４８ｂに沿って変位させ、位置調整を行う。【選択図】図５
2004109589.tif 000002
【特許請求の範囲】
【請求項１】
画像記録担体の主方向にライン光を形成して照明する複数の光源と、前記ライン光の照明により前記画像記録担体から得られる画像情報を含む光を受光するラインセンサとを備える画像情報読取装置において、
前記ライン光を主方向に等間隔で分割した位置に配設され、前記各光源から出力される光の光量を検出する光量検出センサと、
前記光量検出センサにより検出された前記各光源の光量が最大光量となるよう、前記各光源の前記主方向に対する位置を調整する位置調整機構と、
を備えることを特徴とする画像情報読取装置。
【請求項２】
画像記録担体の主方向にライン光を形成して照明する複数の光源と、前記ライン光の照明により前記画像記録担体から得られる画像情報を含む光を受光するラインセンサとを備える画像情報読取装置において、
前記ライン光を主方向に等間隔で分割した位置に配設され、前記各光源から出力される光の光量を検出する光量検出センサと、
前記光量検出センサにより検出された前記各光源の光量が最大光量となるよう、前記各光源の前記主方向に対する光軸方向を調整する光軸調整機構と、
を備えることを特徴とする画像情報読取装置。
【請求項３】
画像記録担体の主方向にライン光を形成して照明する複数の光源と、前記ライン光の照明により前記画像記録担体から得られる画像情報を含む光を受光するラインセンサとを備える画像情報読取装置における調整方法であって、
前記各光源から出力される光の前記画像記録担体上での最大光量照射位置が前記主方向に略等間隔となるよう、前記各光源の主方向に対する位置を調整することを特徴とする画像情報読取装置における調整方法。
【請求項４】
請求項３記載の方法において、
前記各光源から出力される光の光量が略等しくなるよう、前記各光源を調整することを特徴とする画像情報読取装置における調整方法。
【請求項５】
画像記録担体の主方向にライン光を形成して照明する複数の光源と、前記ライン光の照明により前記画像記録担体から得られる画像情報を含む光を受光するラインセンサとを備える画像情報読取装置における調整方法であって、
前記各光源から出力される光の前記画像記録担体上での最大光量照射位置が前記主方向に略等間隔となるよう、前記各光源の光軸方向を調整することを特徴とする画像情報読取装置における調整方法。
【請求項６】
請求項５記載の方法において、
前記各光源から出力される光の光量が略等しくなるよう、前記各光源を調整することを特徴とする画像情報読取装置における調整方法。
【発明の詳細な説明】
【０００１】
【発明の属する技術分野】
本発明は、画像記録担体の主方向にライン光を形成して照明する複数の光源と、前記ライン光の照明により前記画像記録担体から得られる画像情報を含む光を受光するラインセンサとを備える画像情報読取装置およびその調整方法に関する。
【０００２】
【従来の技術】
画像記録担体をライン状の照明光源を用いて主方向に照明し、得られた画像情報をラインセンサによって読み取るように構成した画像情報読取装置が広汎に使用されている。例えば、特許文献１に開示された装置では、照明光源を主方向に長尺なキセノン管等の蛍光管により構成し、この蛍光管から出力される光によって画像記録担体をライン状に照明している。画像記録担体から得られた画像情報を含む光は、ラインセンサに導かれて光電変換されることで、電気信号としての画像情報が得られる。
【０００３】
この場合、長尺な蛍光管は、その長手方向に対する照明むらを完全に除去することが不可能であるため、上記特許文献１では、基準濃度板を蛍光管から出力される光によって照明し、その反射光をラインセンサで読み取ることで補正データを作成し、この補正データを用いて蛍光管の照明むら等に起因する補正を行うようにしている。
【０００４】
ところで、蛍光管の照明むらが大き過ぎると、ラインセンサのダイナミックレンジが狭小になってしまうため、補正データを用いて画像情報を補正したとしても、十分な精度の画像情報が得られなくなるおそれがある。また、主方向の幅の大きな画像記録担体を照明するには、長尺な蛍光管が必要であるが、長尺な蛍光管の場合、照明むらがさらに大きくなるだけでなく、高価となる問題がある。
【０００５】
【特許文献１】
特開平１１−２２０５９０号公報（特許請求の範囲、段落［０００３］）
【０００６】
【発明が解決しようとする課題】
本発明は、この種の問題を解決するものであり、主方向に配列した複数の少ない光源を用いて画像記録担体を照明し、良好な画像情報を得ることのできる画像情報読取装置およびその調整方法を提供することを目的とする。
【０００７】
【課題を解決するための手段】
本発明に係る画像情報読取装置およびその調整方法では、複数の光源を配列してライン光を形成し、前記ライン光により画像記録担体を主方向に照明し、得られた画像情報を含む光をラインセンサによって読み取る画像情報読取装置において、前記各光源から出力される光の光量を光量検出センサによって検出し、画像記録担体上での前記各光源による最大光量照射位置が主方向に対して略等間隔となるよう、位置調整機構により前記各光源の位置を主方向に調整する。
【０００８】
この場合、各光源からの光が画像記録担体上で合成されて形成されるライン光の光量の主方向に対する照明むらを小さくすることができる。従って、このライン光から画像情報を得るラインセンサの有効な感度の範囲内で受光した光を処理し、良好な画像情報を得ることができる。また、ライン光の光量の主方向に対する照明むらを小さくすることができるため、必要最小限の数からなる光源を用いてライン光を形成することができる。
【０００９】
なお、ライン光の光量の主方向に対する変動を小さくするためには、各光源の位置を主方向に調整する代わりに、各光源の主方向に対する光軸方向を調整するようにしてもよい。
【００１０】
【発明の実施の形態】
図１は、本実施形態の放射線画像情報記録読取装置１０の概略構成図を示す。
【００１１】
放射線画像情報記録読取装置１０は、人体等の被写体１８の放射線画像情報を蓄積性蛍光体シートＩＰに一旦記録する放射線記録部１２と、前記蓄積性蛍光体シートＩＰにレーザ光によるライン励起光Ｌ（図２参照）を形成し、放射線の強度に応じて発光する輝尽発光光Ｒを光電的に読み取る読取ユニット１４と、消去光源１５から出力される消去光Ｑを蓄積性蛍光体シートＩＰに照射し、残存している放射線エネルギを放出させる消去ユニット１６とを備える。
【００１２】
放射線記録部１２は、放射線Ｓを発生させる放射線源２０と、被写体１８を所定位置に保持する放射線透過性の撮影台２２とを備える。撮影台２２の後方には、フォトタイマ２３と、散乱線除去用のグリッド２４とが配置されており、前記グリッド２４のさらに後方には、蓄積性蛍光体シートＩＰが保持される。なお、蓄積性蛍光体シートＩＰは、図示しない移動機構により、２点鎖線で示す撮影位置と、実線で示す読取位置との間で矢印方向に移動可能に構成される。
【００１３】
読取ユニット１４および消去ユニット１６は、一体に構成された状態でベルト２６に装着される。ベルト２６は、上部に配設された従動プーリ２８と、下部に配設された駆動プーリ３０との間に張架されており、下部の駆動プーリ３０には、駆動プーリ３０を回転させる駆動モータ３２が連結される。従って、読取ユニット１４および消去ユニット１６は、ベルト２６を介して矢印Ｙ方向に移動可能に構成される。
【００１４】
図２および図３は、読取ユニット１４の構成図である。読取ユニット１４は、蓄積性蛍光体シートＩＰにライン励起光Ｌを形成する光源部３４と、ライン励起光Ｌによって蓄積性蛍光体シートＩＰから得られた輝尽発光光Ｒを読み取る読取部３６ａ〜３６ｅとを備え、ケーシング３８に収納されて構成される。
【００１５】
光源部３４は、矢印Ｘ方向に延在する略Ｌ字状のブラケット４０と、矢印Ｘ方向に配列され、２本の固定ねじ４２ａ、４２ｂによってブラケット４０に固定される複数の光源固定治具４４（１）〜４４（ｎ）と、光源固定治具４４（１）〜４４（ｎ）に形成された孔部４６（１）〜４６（ｎ）に固定されるレーザダイオードＬＤ１〜ＬＤｎとを備える。光源固定治具４４（１）〜４４（ｎ）には、固定ねじ４２ａ、４２ｂが挿入される矢印Ｘ方向に長尺な長孔４８ａ、４８ｂが形成される。各レーザダイオードＬＤ１〜ＬＤｎは、ライン励起光Ｌを形成するレーザビームＢ１〜Ｂｎを出力する。
【００１６】
また、光源部３４は、光源固定治具４４（１）〜４４（ｎ）に固定されたブラケット５０（１）〜５０（ｎ）に装着されるビームスプリッタ５２（１）〜５２（ｎ）と、ビームスプリッタ５２（１）〜５２（ｎ）を透過したレーザビームＢ１〜Ｂｎを矢印Ｙ方向にのみ集光して蓄積性蛍光体シートＩＰに導くシリンドリカルレンズ５４（１）〜５４（ｎ）と、ビームスプリッタ５２（１）〜５２（ｎ）によって反射されたレーザビームＢ１〜Ｂｎを受光し、各光量を検出する光量検出センサ５６（１）〜５６（ｎ）とを備える。
【００１７】
読取部３６ａ〜３６ｅは、矢印Ｘ方向に配列される集光光学素子５８ａ〜５８ｅと、集光光学素子５８ａ〜５８ｅによって集光された輝尽発光光Ｒを受光して電気信号に変換するＣＣＤ（Ｃｈａｒｇｅ　Ｃｏｕｐｌｅｄ　Ｄｅｖｉｃｅ）等からなるラインセンサ６０ａ〜６０ｅとを備える。読取部３６ａ〜３６ｅは、図２に示すように、千鳥状に配設される。上部に配設される読取部３６ａ、３６ｃおよび３６ｅは、ライン励起光Ｌが形成される蓄積性蛍光体シートＩＰ上の範囲Ａａ、ＡｃおよびＡｅから得られる輝尽発光光Ｒを読み取る。下部に配設される読取部３６ｂおよび３６ｄは、ライン励起光Ｌが形成される蓄積性蛍光体シートＩＰ上の範囲ＡｂおよびＡｄから得られる輝尽発光光Ｒを読み取る。
【００１８】
図４は、レーザダイオードＬＤ１〜ＬＤｎの光量を調整するための光量検出センサ５６（１）〜５６（ｎ）を含む光源部３４のブロック図である。
【００１９】
光量検出センサ５６（１）〜５６（ｎ）は、レーザビームＢ１〜Ｂｎの光量を検出する。検出された光量検出値は、レーザダイオード制御回路６２（１）〜６２（ｎ）に供給される。レーザダイオード制御回路６２（１）〜６２（ｎ）は、各光量検出値に基づいて各レーザダイオードＬＤ１〜ＬＤｎを駆動するレーザダイオードドライバ６４（１）〜６４（ｎ）を制御する。また、蓄積性蛍光体シートＩＰが配置される部位には、図５に示すように、蓄積性蛍光体シートＩＰに代えて、矢印Ｘ方向に延在するスリット板６６が配設される。スリット板６６には、レーザダイオードＬＤ１〜ＬＤｎに対応して、等間隔にスリット６８（１）〜６８（ｎ）が形成される。また、スリット板６６に近接して光源部３４と反対側の部位には、光量検出センサ７０が配設される。光量検出センサ７０は、スリット板６６に沿って矢印Ｘ方向に移動可能に構成されており、スリット６８（１）〜６８（ｎ）を通過した各レーザビームＢ１〜Ｂｎの光量を検出する。
【００２０】
本実施形態の放射線画像情報記録読取装置１０およびレーザダイオードＬＤ１〜ＬＤｎの位置調整機構は、基本的には以上のように構成される。
【００２１】
次に、レーザダイオードＬＤ１〜ＬＤｎの位置調整方法について説明する。
【００２２】
先ず、図５に示すように、蓄積性蛍光体シートＩＰが配置される部位にスリット板６６を配設し、レーザダイオードドライバ６４（１）〜６４（ｎ）（図４参照）によりレーザダイオードＬＤ１〜ＬＤｎを駆動し、レーザビームＢ１〜Ｂｎを出力させる。レーザダイオードＬＤ１〜ＬＤｎから出力されたレーザビームＢ１〜Ｂｎは、ビームスプリッタ５２（１）〜５２（ｎ）を透過した後、シリンドリカルレンズ５４（１）〜５４（ｎ）によって矢印Ｙ方向に集光され、スリット板６６に導かれる。この場合、スリット板６６上には、各レーザビームＢ１〜Ｂｎによるビームスポットが矢印Ｘ方向に連結されることにより、ライン励起光Ｌ（図２参照）が形成される。
【００２３】
ここで、レーザダイオードＬＤ１〜ＬＤｎから出力されるレーザビームＢ１〜Ｂｎの光量分布が等しいものと仮定した場合において、光源固定治具４４（１）〜４４（ｎ）を介してブラケット４０に固定されたレーザダイオードＬＤ１〜ＬＤｎの位置が不正確であると、ライン励起光Ｌの光量が矢印Ｘ方向に沿って大きく変動してしまう。
【００２４】
図６は、レーザビームＢ１〜Ｂｎの矢印Ｘ方向の各光量分布を点線で示すとともに、これらが合成されて得られるライン励起光Ｌの光量分布を実線で示したものである。各レーザビームＢ１〜Ｂｎの最大光量となる照射位置をＸ１〜Ｘｎとした場合、例えば、照射位置Ｘ３が照射位置Ｘ２側に偏っていると、合成されたライン励起光Ｌの最大光量値と最小光量値との差が大きくなってしまう。
【００２５】
そこで、スリット板６６の背面部に光量検出センサ７０を配置し、矢印Ｘ方向に等間隔に形成された各スリット６８（１）〜６８（ｎ）を通過したレーザビームＢ１〜Ｂｎの光量を検出し、各光量が最大値となるようにレーザダイオードＬＤ１〜ＬＤｎの位置を調整する。
【００２６】
すなわち、図７に示すように、固定ねじ４２ａ、４２ｂを緩めた状態として、光量検出センサ７０（図５参照）の出力を確認しながら、レーザダイオードＬＤ１〜ＬＤｎが固定された光源固定治具４４（１）〜４４（ｎ）を長孔４８ａ、４８ｂを介して矢印方向に変位させる。そして、各スリット６８（１）〜６８（ｎ）の位置において、光量検出センサ７０の出力が最大となったとき、光源固定治具４４（１）〜４４（ｎ）の変位を停止し、固定ねじ４２ａ、４２ｂを締め付けることによりレーザダイオードＬＤ１〜ＬＤｎをブラケット４０に対して固定する。
【００２７】
この結果、図６において、各レーザビームＢ１〜Ｂｎによる照射位置Ｘ１〜Ｘｎの間隔が等しくなるため、ライン励起光Ｌの最大光量値と最小光量値との差が最小となる。
【００２８】
次に、レーザダイオードＬＤ１〜ＬＤｎから出力された各レーザビームＢ１〜Ｂｎをビームスプリッタ５２（１）〜５２（ｎ）を介して光量検出センサ５６（１）〜５６（ｎ）により検出する。レーザダイオード制御回路６２（１）〜６２（ｎ）は、光量検出センサ５６（１）〜５６（ｎ）によって検出された各レーザビームＢ１〜Ｂｎの光量検出値が等しくなるように、レーザダイオードドライバ６４（１）〜６４（ｎ）を制御する（図４参照）。
【００２９】
この結果、図６において、各レーザビームＢ１〜Ｂｎの最大光量が等しくなるため、ライン励起光Ｌの最大光量値と最小光量値との差がさらに小さくなる。
【００３０】
以上のようにして光源部３４を調整した後、ライン励起光Ｌに残存する照明むらを含むシェーディングを補正するための補正データを作成する。例えば、図３に示すように、放射線画像情報をべたに記録した蓄積性蛍光体シートＩＰをスリット板６６に代えて配置し、レーザダイオードＬＤ１〜ＬＤｎを駆動する。レーザダイオードＬＤ１〜ＬＤｎから出力されたレーザビームＢ１〜Ｂｎは、ビームスプリッタ５２（１）〜５２（ｎ）を介してシリンドリカルレンズ５４（１）〜５４（ｎ）により矢印Ｙ方向に集光された後、蓄積性蛍光体シートＩＰにライン励起光Ｌを形成する。ライン励起光Ｌが照射された蓄積性蛍光体シートＩＰからは、輝尽発光光Ｒが出力され、この輝尽発光光Ｒが集光光学素子５８ａ〜５８ｅを介して各ラインセンサ６０ａ〜６０ｅに導かれ、電気信号に変換される。そして、この電気信号がラインセンサ６０ａ〜６０ｅを構成する全ての画素に対して同一とすることのできる補正データを算出する。
【００３１】
この場合、ライン励起光Ｌは、上述したようにしてレーザダイオードＬＤ１〜ＬＤｎの位置調整が行われており、最大光量値と最小光量値との差が最小となるように設定されている。従って、前記補正データによる放射線画像情報の補正量が必要最小限となるため、ラインセンサ６０ａ〜６０ｅのダイナミックレンジが十分に確保され、放射線画像情報を高精度に読み取ることができる。また、ライン励起光Ｌの最大光量値と最小光量値との差を小さくすることができるため、レーザダイオードＬＤ１〜ＬＤｎの間隔を可能な限り大きく設定し、必要なレーザダイオードＬＤ１〜ＬＤｎの数を減らすこともできる。
【００３２】
補正データを作成した後、蓄積性蛍光体シートＩＰに対して放射線画像情報を記録し、また、所望の放射線画像情報が記録された蓄積性蛍光体シートＩＰの読取作業を行う。
【００３３】
なお、蓄積性蛍光体シートＩＰは、放射線画像情報を記録する際、図１に示す２点鎖線の位置に配置され、また、読取ユニット１４および消去ユニット１６は、放射線画像情報記録読取装置１０の上端部側に配置されている。
【００３４】
先ず、放射線画像情報の記録を行うべく、患者が放射線記録部１２に移動すると、医師等の操作によって撮影台２２を昇降させる等の記録位置合わせが行われる。次いで、患者である被写体１８が撮影台２２に配置された状態で、医師等によって放射線源２０が駆動される。この放射線源２０から出力された放射線は、被写体１８を透過して蓄積性蛍光体シートＩＰに到達することにより、前記蓄積性蛍光体シートＩＰに放射線画像情報が記録される。
【００３５】
被写体１８の放射線画像情報の記録が終了すると、蓄積性蛍光体シートＩＰは、２点鎖線で示す位置から実線で示す位置に移動する。次いで、駆動モータ３２が駆動され、ベルト２６を介して読取ユニット１４および消去ユニット１６が矢印Ｙ方向に下降し、放射線画像情報の読取作業が開始される。
【００３６】
すなわち、レーザダイオード制御回路６２（１）〜６２（ｎ）の制御により、レーザダイオードドライバ６４（１）〜６４（ｎ）を介してレーザダイオードＬＤ１〜ＬＤｎが駆動され、レーザビームＢ１〜Ｂｎが出力される。出力されたレーザビームＢ１〜Ｂｎは、ビームスプリッタ５２（１）〜５２（ｎ）を透過した後、シリンドリカルレンズ５４（１）〜５４（ｎ）によって矢印Ｙ方向に集光され、蓄積性蛍光体シートＩＰにライン励起光Ｌとして照射される。なお、レーザビームＢ１〜Ｂｎの一部は、ビームスプリッタ５２（１）〜５２（ｎ）によって光量検出センサ５６（１）〜５６（ｎ）に導かれることにより、レーザビームＢ１〜Ｂｎの出力がリアルタイムで調整される。
【００３７】
矢印Ｘ方向にライン励起光Ｌが照射された蓄積性蛍光体シートＩＰからは、放射線画像情報を含む輝尽発光光Ｒが出力される。図２に示すように、蓄積性蛍光体シートＩＰの範囲Ａａ、ＡｃおよびＡｅから出力された輝尽発光光Ｒは、集光光学素子５８ａ、５８ｃおよび５８ｅを介してラインセンサ６０ａ、６０ｃおよび６０ｅに導かれ、電気信号に変換される。また、範囲ＡｂおよびＡｄから出力された輝尽発光光Ｒは、集光光学素子５８ｂおよび５８ｄを介してラインセンサ６０ｂおよび６０ｄに導かれ、電気信号に変換される。そして、これらの電気信号は、つなぎ処理が施されることにより、矢印Ｘ方向の放射線画像情報が得られる。一方、読取ユニット１４は、矢印Ｙ方向に移動しており、これによって、２次元の放射線画像情報が蓄積性蛍光体シートＩＰから読み取られる。読み取られた放射線画像情報は、先に算出されている補正データによって補正されることにより、ライン励起光Ｌの照明むらの影響のない良好な放射線画像情報が得られる。
【００３８】
放射線画像情報の読み取りが完了した後、読取ユニット１４および消去ユニット１６が矢印Ｙ方向に上昇するとともに、消去ユニット１６が駆動され、消去光源１５から出力された消去光Ｑが蓄積性蛍光体シートＩＰに照射される。この結果、蓄積性蛍光体シートＩＰに残存する放射線エネルギが放出され、蓄積性蛍光体シートＩＰが次の撮影に使用可能な状態となる。
【００３９】
なお、上述した実施形態では、ライン励起光Ｌの照明むらを最小にするため、レーザダイオードＬＤ１〜ＬＤｎを矢印Ｘ方向に変位させて調整しているが、例えば、図８に示すように、レーザダイオードＬＤ１〜ＬＤｎから出力されるレーザビームＢ１〜Ｂｎの光軸方向を変えることで調整するようにしてもよい。
【００４０】
すなわち、矢印Ｘ方向に長尺に構成されるブラケット７２に対して、レーザダイオードＬＤ１〜ＬＤｎが固定された光源固定治具７４（１）〜７４（ｎ）を装着する断面円弧状の凹部７６（１）〜７６（ｎ）を形成する。一方、光源固定治具７４（１）〜７４（ｎ）には、凹部７６（１）〜７６（ｎ）に対応する断面円弧状の凸部７８（１）〜７８（ｎ）を形成する。また、ブラケット７２と平行に板材８０を配設し、先端部が各光源固定治具７４（１）〜７４（ｎ）に押圧される２本の調整ねじ８２ａ、８２ｂを板材８０の矢印Ｘ方向に配列して螺合する。
【００４１】
このように光軸調整機構を構成し、調整ねじ８２ａ、８２ｂの光源固定治具７４（１）〜７４（ｎ）に対する繰り出し量を調整することにより、光源固定治具７４（１）〜７４（ｎ）がブラケット７２に対して回動するため、レーザダイオードＬＤ１〜ＬＤｎから出力されるレーザビームＢ１〜Ｂｎの光軸方向が変位する。この結果、図６において、照射位置Ｘ１〜Ｘｎが変位するのと同等の効果が得られるため、これによってライン励起光Ｌの照明むらが少なくなるように調整することができる。
【００４２】
【発明の効果】
本発明に係る画像情報読取装置およびその調整方法では、各光源からの光が画像記録担体上で合成されて形成されるライン光の光量の主方向に対する照明むらを小さくすることができる。従って、このライン光から画像情報を得るためのラインセンサの感度を確保し、良好な画像情報を得ることができる。また、ライン光の光量の主方向に対する照明むらを小さくすることができるため、必要最小限の数からなる光源を用いてライン光を形成することができる。
【図面の簡単な説明】
【図１】本発明の実施形態に係る放射線画像情報記録読取装置の概略構成図である。
【図２】本発明の実施形態に係る放射線画像情報記録読取装置を構成する読取ユニットの斜視構成図である。
【図３】本発明の実施形態に係る放射線画像情報記録読取装置を構成する読取ユニットの側面構成図である。
【図４】本発明の実施形態に係る放射線画像情報記録読取装置を構成する光源部における光量調整のためのブロック図である。
【図５】本発明の実施形態に係る放射線画像情報記録読取装置を構成する光源部における位置調整のための機構説明図である。
【図６】本発明の実施形態に係る放射線画像情報記録読取装置を構成する光源部の位置調整前の光量分布の説明図である。
【図７】本発明の実施形態に係る放射線画像情報記録読取装置を構成する光源部の位置調整機構の要部拡大図である。
【図８】本発明の実施形態に係る放射線画像情報記録読取装置を構成する光源部の光軸調整機構の構成図である。
【符号の説明】
１０…放射線画像情報記録読取装置　１４…読取ユニット
１６…消去ユニット　　　　　　　　３４…光源部
３６ａ〜３６ｅ…読取部
４０、５０（１）〜５０（ｎ）、７２…ブラケット
４２ａ、４２ｂ…固定ねじ
４４（１）〜４４（ｎ）、７４（１）〜７４（ｎ）…光源固定治具
４８ａ、４８ｂ…長孔
５２（１）〜５２（ｎ）…ビームスプリッタ
５４（１）〜５４（ｎ）…シリンドリカルレンズ
５６（１）〜５６（ｎ）、７０…光量検出センサ
５８ａ〜５８ｅ…集光光学素子　　　６０ａ〜６０ｅ…ラインセンサ
６２（１）〜６２（ｎ）…レーザダイオード制御回路
６６…スリット板　　　　　　　　　７６（１）〜７６（ｎ）…凹部
７８（１）〜７８（ｎ）…凸部　　　８２ａ、８２ｂ…調整ねじ
ＩＰ…蓄積性蛍光体シート　　　　　ＬＤ１〜ＬＤｎ…レーザダイオード
Ｂ１〜Ｂｎ…レーザビーム　　　　　Ｌ…ライン励起光
Ｒ…輝尽発光光
【図１】
2004109589.tif 000003
【図２】
2004109589.tif 000004
【図３】
2004109589.tif 000005
【図４】
2004109589.tif 000006
【図５】
2004109589.tif 000007
【図６】
2004109589.tif 000008
【図７】
2004109589.tif 000009
【図８】
2004109589.tif 000010